(57)【要約】取り出し前後の物品の重量を自動的に監視する在庫商品の管理システム。重量の差を用いて取り出された製品の量を判定する。取り出された製品の総量は、製品を取り出すために従業員が中に入れる金額の総量と比較される。これは、従業員による盗難を判定するために使用し得る。実施例は、だれが不正な従業員かを判定するための様々な方法を使用し得る。【選択図】図２
2010505188.tif 000002
【特許請求の範囲】
【請求項１】
コンピュータ制御の監視システムであって、
複数の遠隔の物品から重量を示す情報を受け取るインタフェースと、
取り出し可能な物品の単位量を示す情報を記憶し、取り出す前の重量及び取り出した後の重量を判定し、取り出された単位量の合計を示す出力信号を生成する処理部と、
を具えることを特徴とするシステム。
【請求項２】
さらに、取り出された物品の金額を示す出力を生成する電子支払システムを具えており、
前記電子支払いシステムが、前記処理部と連携して前記単位量の合計に関する支払いが済んでいるかどうかを自動的に判定することを特徴とする請求項１に記載のシステム。
【請求項３】
さらに、取り出しを行う者の画像を生成する監視部を有しており、
前記処理部が、前記単位量の合計に関する支払いが前記取り出された単位量の合計と異なる場合に、前記画像に関する時間表示を自動的に生成することを特徴とする請求項２に記載のシステム。
【請求項４】
さらに、重量を示す前記情報を生成する計量部を具えており、
前記計量部が、遠隔からの要求に反応してその状態を判定でき、エラーを検出した場合に可視表示を形成することを特徴とする請求項１に記載のシステム。
【請求項５】
さらに、前記重量を示す情報を形成する計量部を具えており、
前記計量部及び前記処理部間のワイヤレス接続を有することを特徴とする請求項１に記載のシステム。
【請求項６】
前記取り出し可能な物品がアルコールであることを特徴とする請求項１に記載のシステム。
【請求項７】
前記取り出し可能な物品が処方薬であることを特徴とする請求項１に記載のシステム。
【請求項８】
さらに、計量部と、
前記計量部に付随する近接センサと、を具えており、
前記近接センサが前記計量部に配置された物品からの情報を読み込んで、前記計量部の物品を示す情報を自動的に判定することを特徴とする請求項１に記載のシステム。
【請求項９】
さらに、前記重量を示す情報を形成する計量部と、
前記計量部が正しく動作しているか否かを目に見えるよう表示する可視表示部と、を具えていることを特徴とする請求項１に記載のシステム。
【請求項１０】
上に配置された物品を計量する計量要素と、
前記計量要素に付随し、前記計量を示す出力信号を自動的に無線通信するワイヤレスインタフェースと、
を具えていることを特徴とするシステム。
【請求項１１】
さらに、前記計量要素に付随し、関連する物品のコンピュータが読み取り可能な部分からの情報を自動的に読み込む近接リーダーを具えていることを特徴とする請求項１０に記載のシステム。
【請求項１２】
前記ワイヤレスインタフェースが、ブルートゥースモジュールを具えていることを特徴とする請求項１０に記載のシステム。
【請求項１３】
前記計量要素が、それに関連する可視表示部を有しており、
前記可視表示部が、前記計量要素が適切に動作していることを示す第１の出力を形成し、前記計量要素が適切に動作していないことを示す第２の出力を形成することを特徴とする請求項１０に記載のシステム。
【請求項１４】
前記計量要素が、それに関連する可視表示を形成し、
当該可視表示が、適切な重量を有する物品が計量面にあることを示す第１の出力を形成し、不適切な重量を有する誤った物品が前記計量面にあることを示す第２の出力を形成することを特徴とする請求項１０に記載のシステム。
【請求項１５】
さらに、前記物品に関する計量情報を自動的に判定し、取り出された前記物品の総量を自動的に判定するプロセッサを具えることを特徴とする請求項１０に記載のシステム。
【請求項１６】
取り出しの前後で少なくとも１の取り出し可能な物品を計量するステップと、
前記計量に基づいて、取り出された前記物品の総量の表示を形成するステップと、
当該総量を、購買データベースによって取り出されたとして表示された総量と自動的に比較するステップと、
を具えることを特徴とする方法。
【請求項１７】
さらに、前記取り出されたとして表示された総量が取り出された総量と異なる場合に、時間を判定するステップと、
前記時間を示す時間マーカーを自動的に生成するステップと、
を具えることを特徴とする請求項１６に記載の方法。
【請求項１８】
さらに、前記取り出し可能な物品が取り出されたエリアの映像を取得するステップと、
前記時間マーカーを用いて前記映像の時間を自動的に判定するステップと、
を具えることを特徴とする請求項１６に記載の方法。
【請求項１９】
さらに、近接センサを用いて前記取り出し可能な物品の特性を自動的に判定するステップを具えており、
前記表示が前記自動的に判定するステップに基づいていることを特徴とする請求項１６に記載の方法。
【請求項２０】
前記取り出し可能な物品が、処方薬であることを特徴とする請求項１６に記載の方法。
【請求項２１】
前記取り出し可能な物品が、アルコール飲料であることを特徴とする請求項１６に記載の方法。
【請求項２２】
第１の時間で少なくとも１の取り出し可能な物品を計量するステップと、
前記少なくとも１の取り出し可能な物品が計量する場所から離されていることを検出するステップと、
前記少なくとも１の取り出し可能な物品が前記計量する場所に戻されていることを検出し、前記少なくとも１の取り出し可能な物品が前記計量する場所に戻されていることを検出するのに応答して、前記少なくとも１の取り出し可能な物品を再計量するステップと、
前記計量及び再軽量に基づいて、前記物品が離れている間に出された前記物品の総量の表示を形成するステップと、
当該総量と、取り出された前記物品の意図する総量を示す総量とを自動的に比較するステップと、
を具えることを特徴とする方法。
【請求項２３】
さらに、異なる取り出し可能な部品とは異なる前記取り出し可能な物品の特性を自動的に検出するステップを具えることを特徴とする請求項２２に記載の方法。
【発明の詳細な説明】
【技術分野】
【０００１】
本出願は、２００７年１月１６日に出願され、開示内容が参照することにより本書に盛り込まれている出願番号第６０／８４８，１４１号及び出願番号第６０／８８０，５７０号の優先権を主張する。
【背景技術】
【０００２】
従前の在庫システムが、どれくらいの数の物品を注文すべきかの判断を助けるよう使用されている。このようなシステムは、従来は店舗の在庫品としての製品の数量を手作業で判断している。例えば、製品を指折り数え上げる。従来においては、このような方法で製品を数えることができるようにするために、「棚卸しのための休業」を店舗が強いられていた。
【０００３】
最近の技術が、棚卸しの作業を容易にしている。例えば、ＲＦＩＤ技術により、パレットを利用した電子的な棚卸しが品番、製造日、使用期限等を入手し得るようになっている。また、棚卸しのためにバーコードを用いている。
【発明の概要】
【０００４】
本出願は、製品の量及び数を判定し得る自動化されてほぼリアルタイムで在庫管理を行う方法を説明する。
【０００５】
一態様が、従業員による盗みを抑止する仕組みであり、取り出された物品の監視を可能にするためのこのようなリアルタイムでの在庫管理の利点を有する。
【図面の簡単な説明】
【０００６】
図面において：
【図１】図１は、有線接続を用いた実施例における端末相互間のシステムを示す。
【図２】図２は、ワイヤレスの実施例を示す。
【図３】図３は、動作のフローチャートを示す。
【図４】図４は、典型的な電子天秤を示す。
【図５】図５は、計量パッド配列を用いた実施例を示す。
【図６】図６は、連動式計量パッドの実施例を示す。
【発明を実施するための形態】
【０００７】
本書に記載された一実施例が、在庫品に対するリアルタイムでの管理を維持し、これらの在庫品に対してより直接的なリアルタイムでの監視及び管理を可能にする自動化された在庫システムを示唆している。実施例によれば、リアルタイムの在庫を使用して、処方薬及びアルコールといった品物の取り出しをリアルタイムで監視し得る。
【０００８】
発明者は、バルクソースからの部分的な分配で使用されるタイプの分配システムで生じている重要な問題を認識した。このような種類の分配システムの例は、アルコールの分配及び処方薬である。
【０００９】
バーのような現金商売では、従業員が無料のドリンクを、例えば彼ら自身又は他の者のために与える可能性がある。また、従業員が現金を持って行く可能性がある。悪質な従業員が、現金をレジではなくポケットに入れる可能性がある。似たような問題が薬剤といった他の業界で発生する可能性があり、顧客が現金以外の支払い方法を用いる場合でさえも発生する可能性がある。
【００１０】
供給会社は、薬剤を追加注文し得るようにするために、薬剤が完売したか否かを知りたがる。しかしながら、さらに、薬剤が調剤される場所は、従業員が薬剤を盗んで売り易い格好の餌食となる。事実、病院及び薬局の従業員による薬剤の盗難は、薬剤の在庫の不一致に関する全ての紛失及びカウント不可の４８％の割合を占めると考えられている。また、発明者は、手作業による在庫の維持の方法では、何らかの不一致を見つけ出すまでに数ヶ月かかることが分かり、たとえ不一致が判定されてもどの従業員がこのような不一致に対して責任があったのかを判断することが難しいことが分かった。
【００１１】
本発明者は、このような問題及びコンピュータベースのリアルタイムでの在庫の監視を通してこのような問題の解決法を発見した。本発明者は、いかなる者もリアルタイムでの監視システムのこのような予期しない使用法及び利点をこれまで気付かなかったと考えている。一実施例によれば、内蔵型の電子計量装置を具えた計量パッド１００を使用する。ここで在庫物品を処方瓶１０２で示す。代替的に、在庫物品は酒瓶とすることができ、このようなケースでは瓶の重量を表す電子信号を符号１０５で与える。複数の異なる信号が与えられるが、図１は別のパッドから受信される別の信号を示す。これらの信号は、例えば、パラレルポート又はＵＳＢポートといったパーソナルコンピュータ１２０のポートに接続され得る形式に信号を変換する多重分離ボックス１１０に接続される。
【００１２】
パーソナルコンピュータが、計量パッド１００上の物品の重量を監視する。例えば、使用される調剤された薬剤（錠剤）は、比較的軽量でもよい。パッドは十分に感度があり、薬剤の重量の程度の重量減少を検出することができ、例えば、１ｍｇの薬剤の重量減少によって１の薬剤（錠剤）が調剤されたことを示す。
【００１３】
実施例では、パーソナルコンピュータ１２０が在庫物品１０２を計量して動重量を記憶する。また、ＰＣ１２０は異なる薬剤の重量のリストを保持する；例えば、処方瓶１０２がバリウム（Ｖａｌｉｕｍ）である場合、ＰＣ１２０が各バリウムの薬剤の重量を覚えている。天秤１００から瓶１０２を離す度に、離す前後のその重量をコンピュータが受信する。そして、コンピュータ１２０が、このような方法によって取り出された薬剤の数量を表示する。
【００１４】
アルコール飲料の販売及び取り出しに同じような方法を使用し得る。従業員が出される毎日の飲料を報告する場合、管理者又は所有者は電子的に判断することができ、同時にさらなる在庫をいつ入手する必要があるのかを表す情報を記憶する。
【００１５】
図３のフローチャートを参照して説明すると、実施時に、パーソナルコンピュータ１２０がトランザクションを監視するよう作動する。各トランザクションは、瓶１０２がその載置パッドから離れた時に発生する。各パッド１００は、例えば瓶が１ｍｇのバリウムの薬剤、又はアルコール等を有しているといった、その内容物に関する固有のアドレスを有している。
【００１６】
瓶１０２がパッドから離されると、離す直前の重量が、「前の」重量として記憶される。また、離した時間が記録される。瓶を戻すと、新たに得られた重量が「後の」重量として記憶される。測定された重量は、例えば錠剤のケースではミリグラムであり、酒類の場合はオンス当たりの重量である。
【００１７】
「前の」重量と「後の」重量との差が１の薬剤の重量で除算され、瓶から出された薬剤の数量の判定が行われる。出された薬剤の数量が、出された時間、薬剤が出された天秤／瓶を表す情報とともに記憶される。
【００１８】
瓶が空又はほとんど空である場合、瓶を交換する時が来たことを所有者に警告する別の監視フラグが生成される。
【００１９】
また、天秤は、パッド上に新たな瓶が置かれたことを表す信号をコンピュータに出力するよう押される符号１０１といったリセットボタンを有している。実施時に、同じ大きさ及び型式の薬剤又は酒類を同じパッドに常に置くことが一般的である。しかしながら、リセットボタンの押し込みを使用して、瓶がいっぱいになっている信号を出力してもよく、再較正を要求してもよい。
【００２０】
一実施例では、計量パッドを直列に接続することができ、パッドが電子的な質問に応答し得るようにアドレス可能な部分を有してもよい。電子的な質問に応答しないパッドを、故障状態としてマークしてもよい。
【００２１】
例えば、歪みゲージ、又は誘電材料を使用してこれらの材料間の歪み及び状態を検査するシステム、を含む電子的な秤量用品で計量パッドを形成してもよい。重量は、一連の金属シリンダにかかる圧力に比例する。
【００２２】
図２は、代替的な実施例を示しており、ワイヤレス接続を用いて在庫に対するさらなる管理を維持する。この実施例は、ワイヤレス接続を使用してさらに管理し、特定の作業に責任がある関係者に対してさらなる説明責任を課すことが可能となる。
【００２３】
本実施例では、在庫品５０２が、ＲＦタグ又は他のものといった付随する近接タグ５０５を有している。近接タグは、監視されている瓶に関する特定の情報を表す。近接デバイスは、他の情報とともに、処方薬の名前及び型式、薬剤の各重量、ロットナンバー又は製造者の特定コード、を記憶する。近接タグ５０５は、コンピュータが認識し得る在庫ナンバーといった固有の識別子を有してよい。在庫ナンバーは、情報を参照し得るデータべースに関するものとすることが可能である。例えば、在庫ナンバー「ＸＺＡ３３」をデータベースに記憶して、それぞれが１ｍｇであるバリウムの瓶を表し得る。代替的に、タグは、例えば「１錠当たり１ｍｇ」というような単位表示といった情報を含めることができる。
【００２４】
近接タグをエポキシといった強固な接着剤によって瓶に付けてもよい。
【００２５】
本実施例では、計量パッド５１０が、瓶の重量とともにタグ５０５の近接情報を読み込むための構造を有している。近接タグの情報及び重量に基づいて、計量パッド５１０の中のマイクロプロセッサユニット５１５が、瓶５０２の中の薬剤の残りの数量を自動的に計算し、又は代替的な実施例では、瓶の中の残りのアルコール量を計算する。代替例として、コンピュータ５５０がこのような計算を行ってもよい。
【００２６】
第１の実施例にあるように、パッドから瓶を離す毎に残りの薬剤の数量を再計算してもよく、主要な在庫管理リストが取り出された部分を示すよう更新される。
【００２７】
ある実施例が、薬剤の数量が減る度にこれが起きる時間とともに紙のレシートを印刷する紙のレシート検出システムを使用する。符号５２０で示すプリンタとレジのレシートと入力する度に比較してもよい。薬剤の数量と支払いとの相違によって警告を発する。
【００２８】
警告は、電子マーカーによる時間日付印を用いる。このような警告に基づいて、薬剤又は金額の一方又は双方をだれが処理するのかを示す情報が確認される。ある実施例では、ワイヤレスビデオカメラ５２５が、計量パッド５１０の近傍を継続的に監視する。警告が生じた場合、取得された映像の警告が生じている時間が、マークされ又は別個にサーバに転送される。ビデオカメラはワイヤレスであるため、ワイヤレスカメラインタフェース５３０が、受信したワイヤレスの情報を示す情報をサーバのコンピュータ５５０に送信し得る。
【００２９】
このようなシステムは、在庫管理を通していつ物品が盗まれたかの判断を提供するだけではなく、在庫管理に違反した最も可能性の高い容疑者の判定が可能となる。例えば、所望の数量よりも多い薬剤が取り出されたときはいつでも、すなわち、実際にカウントされた以上の薬剤が取り出されたときはいつでも、ビデオカメラからワイヤレスに入力された画像を使用してだれが不正をしたかを判定し得る。
【００３０】
アルコールの取り出しを監視するために同じような技術を使用し得る。アルコール飲料の販売及び取り出しを、出されたアルコールの量に一致する時期の終わりに現金収納と合わせることができる。このため、例えばバーのオーナーが居ない場合でも、外に出される無料の飲み物の数量を判定することができ、映像情報を使用して、だれが無料の飲み物を外に出しているのかを判定することができ、それらを外に出す際の人々の挙動を任意に見ることができる。
【００３１】
図５に示すように、計量パッド５１０は、ブルートゥース又はワイヤレスイーサネット（登録商標）を介して、又は他のワイヤレス技術を介して送信するワイヤレスモジュール５１２とともに、電子計量センサ５１１を有している。近接励起コイル５１３が近接タグ５０５と整合しており、それらから情報を取得する。タグは完全に受動型でもよく、又はコイル５１３によって励起されてもよい。
【００３２】
また、本デバイスは、その動作を制御するそれ自身の内部ＲＯＭ５１４を、マイクロプロセッサ５１５とともに有している。モジュール５１２は、例えば、ブルートゥースモジュールであり、別々のアンテナ５１６を有している。これは、自身は多くの様々な計量パッド５１０からの送信を受信するブルートゥースワイヤレスインタフェース５３１に送信してもよい。
【００３３】
上記の実施例にもあるように、計量パッド５１０が継続的に監視され、計量パッド５１０が正しく動作していることを判定する。正常に動作している場合、計量パッドが、正常な動作を示すために青色ＬＥＤを発光させる。適切に動作していない場合に、計量パッドが全ての赤色ＬＥＤを点灯させる。また、赤色ＬＥＤを使用して、近接タグ５０５が適切に読み込まれていないこと、又は重量が正しいものとは違っていること、又は計量パッド上に物品が全く無いことを示すようにしてもよい。このような方法では、本システムを見る者は、瓶がパッド上に適切に置かれているか否か又はパッドが誤動作しているか否かを、一見しただけで判定し得る。
【００３４】
本実施例は、図３のフローチャートに従って実施される。セッションはステップ６００で開始し、ここでは全てのパッドがポーリングされ、コンピュータ５５０が時間、日付、型式、各物品の重量を記録して保存する。また、システムは、符号５２５といったビデオカメラを初期化する。ある実施例では、ありとあらゆる物品の近くに１のビデオカメラを置いてもよい。ステップ６０５は、事象を待機していることを一般的に示す。事象は、符号５０２といった物品が計量パッドから離された場合に生じる。このため、ステップ６１０は、ここではパッド「１７Ｃ」と符号付けしている計量パッドから物品が離された事象を示す。この事象は、パッドが重量を認識しない場合、又は特定の大きさ未満の重量を認識する場合に検出される。このような事象が生じる時間及び日付が記録される。
【００３５】
ステップ６１５で、物品がパッドの上に戻されて重量が検出され、さらに、時間、日付及び重量が記録される。ステップ６２０は、開始時間と終了時間との間のこのような事象に関するビデオ画像もまた記録されることを示す。これらの映像を、お気に入りの場所として保存してもよく、又はこのような事象のうちの部分としてコンピュータに別々に転送してもよい。
【００３６】
ステップ６２５で、物品の既知の重量に基づいて、重量減少が販売された物品の数量に変換される。ステップ６３０は、３０錠のバイコディン錠剤が販売されたことを示す符号５２０でのレシートの印刷を示しており、３０錠のバイコディン錠剤が販売される場合にレジに入るべき適切な金額を表示する。ある実施例では、電子レジスタを使用してもよい。ステップ６３５でレジがポーリングされ、３０錠のバイコディンに対して支払われた否かを判定する。レジの入力が重量減少の入力と一致する場合、ステップ６４０で事象が正常なものとして設定され、映像記録を消去する。
【００３７】
ステップ６４５は、３０錠のバイコディンが販売されたことを示す主要な在庫リストの更新を示し、その後ステップ６５０でセッションを終わらせる。
【００３８】
一方、ステップ６３６は、レジへの入力が重量減少の入力と一致しない状況を示しており、符号６３７で事象が正常ではないと宣言されることを示す。ステップ６３８で、その後の検討のために映像記録がマークされる。また、ステップ６３９で在庫の更新が実施され、取り出された物品の実際の数量をリストアップする。
【００３９】
本システムは、情報のエラー表示を、印刷又はそうでなければ保持してもよい。例えば、プリンタがエラー表示、日付、不一致のパーセンテージ、時間、映像の実際の場所、相違の金額を印刷してもよい。
【００４０】
図４に示す実施例は、使用し得る特別な種類の天秤を表している。このような天秤は、カンチレバー４０６、４０７間を延在する支持片４０５上の薬瓶４００を示す。支持片４０５は、例えば、０．０２８インチ厚よりも薄い「３００グレード」のステンレス鋼といった可撓性を有するステンレス鋼である。支持片４０５は、基板４２０の中に嵌るシリンダ４１０の上面を形成する。
【００４１】
図５は、計量パッド配列を示す。これは、例えば、多くの異なるアルコール飲料を有しているバー、又は調剤すべき多くの異なる処方箋を有している薬局で使用される。このような配列は、それぞれが物品の動重量を維持し得る多くの計量パッド５００，５０２で形成される。符号５００といった各計量パッドは、ＲＦ  ＩＤ部５０１を有している。ＲＦ  ＩＤ部５０１は、調剤される物品の近接タグから情報を受け取る。符号５０５といった信号出力は計量パッドに由来し、ＵＳＢコネクタ５１０を介してプロセシングユニット５１２に接続される。プロセシングユニット５２０は、ワイヤレスネットワーク機能５３０とともに、例えば、マイクロプロセッサ５２１である。
【００４２】
一実施例では、ワイヤレスネットワーク５３０が、ポイントトゥーポイント中継システムとして動作するジグビー（ＺｉｇＢｅｅ）接続又は他のワイヤレスシステムを介している。代替的に、上記のような他のワイヤレスプロトコルを使用できる。
【００４３】
図６に示すような他の実施例が、別々の計量ステーション６０２，６０４等を規定する番号を有する１つの連続的な構成要素６００の計量パッド配列を形成する。このような実施例では、各計量ステーションがまた、ワイヤレス機能６０７を有するコントローラ６０６とともに、ＲＦＩＤタグリーダ６０３と、再充電可能なバッテリ６０５と、を有している。符号６０２といったパッドの上部に負荷が配置された場合、ステンレス鋼材の撓みが上部シリンダと下部シリンダの間隔を変化させる。これにより、これらの板の間の静電容量が変わることで、ＲＣ同調回路がワイヤレス接続６０８を介して物品の重量又は重量の変化を示す信号を出力する。
【００４４】
図６に示す実施例は、別々の荷重点を具えた１つの連続したパッドを示す。図６に示すデバイスは、４の異なる物品を計量するための４つの場所を有している。読込部６０３がそのようにして置かれた物品の特性を自動的に判定するため、任意の物品をパッド上に載置することが可能である。
【００４５】
より一般的な目的を実行する様々な方法を達成するよう使用し得る全体的な構成及び方法、及びより特別な実施例が、本書に記載されている。
【００４６】
ほんのわずかな実施例のみを上述したが、他の実施例も可能であり、このようなことを発明者は本明細書の中で強調する。本明細書は、別の方法で実現する可能性のあるより一般的な目的を実現するよう特定の実施例を説明する。このような開示は、典型的な例を意図するものであり、特許請求の範囲は、当業者が予測可能な変形又は代替例をカバーすることを意図している。例えば、他のデータ形式、他の種類の天秤等を使用してもよい。
【００４７】
また、発明者は、「ための手段」という用語を使用するこれらの特許請求の範囲が、単に３５ＵＳＣ１１２第６項の下で解釈すべきであることを意図するものである。さらに、明細書の限定事項は、これらの限定が特許請求の範囲の中で明確に含まれていない限り、特許請求の範囲の中で読み取られることを意図するものではない。本書に記載のコンピュータは、汎用又はワークステーションといった特定目的のコンピュータのいずれにおいても、任意の種類のコンピュータでよい。コンピュータは、Ｗｉｎｄｏｗｓ（登録商標）  ＸＰ又はＬｉｎｕｘで動作するインテル（例えば、Ｐｅｎｔｉｕｍ（登録商標）又はＣｏｒｅ２ｄｕｏ）又はＡＭＤベースのコンピュータでよく、あるいは、マッキントッシュコンピュータでもよい。また、コンピュータは、ＰＤＡ、携帯電話、あるいはラップトップのような、ハンドヘルドコンピュータでもよい。
【００４８】
プログラムを、Ｃ言語又はＰｙｔｈｏｎ、又はＪａｖａ（登録商標）、Ｂｒｅｗ又は他のプログラミング言語で書いてよい。プログラムは、例えば、コンピュータのハードディスク、メモリスティック又はＳＤメディアといったリムーバルディスク又は媒体、有線又は無線ネットワークベース又はブルートゥースベースのネットワーク接続ストレージ（ＮＡＳ）又は他のリムーバル媒体といった磁気又は光媒体といった、記憶媒体に常駐させてよい。また、プログラムは、例えば、ローカルマシンに信号を出力するサーバ又は他のマシンを備えたネットワーク上を走ってもよく、本書に記載の動作をローカルマシンが実行できるようになる。
【００４９】
本書で特定の数値に言及する場合、異なる範囲に特に言及しない限り、本出願が示唆する範囲内に留めつつ、このような値を２０％増減してもよいと考えるべきである。特定の論理的な意味を使用する場合、反対の論理的な意味もまた包含することを意図するものである。
【図１】
2010505188.tif 000003
【図２】
2010505188.tif 000004
【図３】
2010505188.tif 000005
【図４】
2010505188.tif 000006
【図５】
2010505188.tif 000007
【図６】
2010505188.tif 000008
【国際調査報告】
2010505188.tif 000009